(57)【要約】【課題】加熱室と回転アンテナの間に設けられた仕切板が取り外しが容易で、丸洗いすることができ、衛生的に調理ができる加熱調理器を提供する。【解決手段】加熱される食品を収納する加熱室７の底部に設けられ、食品が載置される底板１３と、この底板１３の下部に設けられ、マグネトロン９から発生する高周波を加熱室７に拡散させる回転アンテナ１２とを備え、底板１３は、加熱室７の底部に着脱自在に設けたものであり、外周縁に沿って立設された縁枠部、または、縁枠の端部から外周方向に沿って延設されたつば部を設けたものも使用可能とした。【選択図】        図２
2004150668.tif 000002
【特許請求の範囲】
【請求項１】
加熱される食品を収納する加熱室の底部に設けられ、前記食品が載置される仕切板と、この仕切板の下部に設けられ、マグネトロンから発生する高周波を前記加熱室に拡散させる回転アンテナを有する加熱調理器において、
前記仕切板は、前記加熱室の底部に着脱自在に設けられたことを特徴とする加熱調理器。
【請求項２】
仕切板は、外周縁に沿って立設された縁枠部を備えたことを特徴とする請求項１記載の加熱調理器。
【請求項３】
縁枠の端部から外周方向に沿って延設されたつば部を設けたことを特徴とする請求項２記載の加熱調理器。
【請求項４】
仕切板の下部で加熱室の底部に着脱自在に設けられた別の仕切板を備えたことを特徴とする請求項１〜３のいずれかに記載の加熱調理器。
【請求項５】
仕切板の下部で加熱室の底部に固着して設けられた別の仕切板を備えたことを特徴とする請求項１〜３のいずれかに記載の加熱調理器。
【請求項６】
仕切板を角皿と略同一形状にしたことを特徴とする請求項１記載の加熱調理器。
【請求項７】
加熱室の両側壁に設けられた角皿用の棚と、
仕切板の下部に加熱室の底部に着脱自在に設けられた別の仕切板と、
を備え、
前記仕切板を前記棚に載置可能としたことを特徴とする請求項６記載の加熱調理器。
【請求項８】
加熱室の両側壁に設けられた角皿用の棚と、
仕切板の下部に加熱室の底部に固着して設けられた別の仕切板と、
を備え、
前記仕切板を前記棚に載置可能としたことを特徴とする請求項６記載の加熱調理器。
【発明の詳細な説明】
【０００１】
【発明の属する技術分野】
この発明は、加熱調理器に関し、特に加熱室に供給されるマイクロ波を撹拌する為の回転アンテナと加熱室と回転アンテナが設けられた部分を仕切る仕切板を備えた加熱調理器に関する。
【０００２】
【従来の技術】
電子レンジにおいて、加熱室の下方に回転アンテナが備えられており、マグネトロンの発振したマイクロ波は、回転アンテナにより拡散されて、加熱室に供給される。加熱室と回転アンテナとの間には、底板が備えられており、底板は、部分的に透明とされており、該透明な部分を介し、加熱室の中から、回転アンテナの回転している様子を見ることができ、回転アンテナの回転不良を容易に発見できるようにしている（例えば特許文献１）。
【０００３】
【特許文献１】
特開２００１−１８５３４３号公報（段落００３３−００３９、００７１−００７３、図３、４、９）
【０００４】
【発明が解決しようとする課題】
従来の一般的な電子レンジでは、回転皿があり、回転皿に食品を載置していたため、回転皿が汚れた場合はこれを取り外して洗浄することができた。しかし、下給電式のものは、回転皿を設けずに、回転アンテナと加熱室との間に設けられた仕切り板に食品が載置され、電波をアンテナを回転させて均一加熱をすることができる反面、特許文献１に示されたように従来の電子レンジでは、加熱室底面を構成する仕切板（底板）は、加熱室にシリコンで接着されているので、取り外しができなく、加熱室底面を構成する仕切板に、拭いただけではなかなか落ちないような汚れが残り、衛生的に調理が出来ない、という問題があった。  また、仕切板はシリコンで接着されているため、分解、廃却する際、シリコンをとるのが難しく、リサイクルができない、という問題もあった。
【０００５】
この発明は、上述のような課題を解決するためになされたもので、加熱室と回転アンテナの間に設けられた仕切板が取り外しが容易で、丸洗いすることができ、衛生的に調理ができる加熱調理器を提供することを目的とする。
【０００６】
【課題を解決するための手段】
この発明に係る加熱調理器は、加熱される食品を収納する加熱室の底部に設けられ、前記食品が載置される仕切板と、この仕切板の下部に設けられ、マグネトロンから発生する高周波を前記加熱室に拡散させる回転アンテナを有する加熱調理器において、前記仕切板は、前記加熱室の底部に着脱自在に設けられたものである。
【０００７】
【発明の実施の形態】
実施の形態１．
図１は加熱調理器の斜視図、図２はこの発明の実施の形態１を示す加熱調理器の縦断面図、図３は要部詳細図である。
【０００８】
図１、２において、加熱調理器は、加熱調理器本体１、開閉自在に軸支されたドア２、各種の情報を入力するための操作パネル４、本体１を支持する脚５が備えられている。本体１はその外郭が外装部３に覆われている。
また、本体１の内部には、本体枠６が備えられ、加熱室７を形成している。加熱室７の両側壁には角皿（図示せず）を載置する棚８が設けられ、外装部３の内部には、加熱室７の右側に隣接するように、マグネトロン９が設けられている。また、加熱室７の右側から下方にかけては、マグネトロン９と本体枠６の下部を接続させる導波管１０が設けられ、マグネトロン９は、導波管１０を介して、第一の給電口１１と回転アンテナ１２から加熱室７にマイクロ波を供給する。
【０００９】
本体枠６の底部と底板１３の間には、回転アンテナ１２が設けられ、導波管１０の下方には、アンテナモータ１４が設けられている。回転アンテナ１２は軸１４ａで、アンテナモータ１４と接続されている。そして、アンテナモータ１４が駆動することにより回転アンテナ１２が回転する。加熱室７内では、仕切板である底板１３上に食品が載置される。マグネトロン９の発振したマイクロ波は、導波管１０を介し、回転アンテナ１２によって拡散されつつ、加熱室７内に供給される。これにより、底板１３上の食品が加熱される。
【００１０】
図３において、底板１３と本体枠６との構成について詳細に説明する。底板１３は低誘電率材料で構成されており、本体枠６の第一の凹部６ｂ上に載置され、着脱自在である。底板１０の上面は本体枠６の底部６ａとほぼ同一面になる。底板１３の外周部は本体枠６の凹部６ｂの外周とほぼ一致していており、外形は角形状である。
【００１１】
以上のように、底板１３は、加熱室７の底部にに着脱自在に設けられたので、底板１３を加熱室７の底面に設置する際、シリコン等の接着材料を使用していないので、底板１３を容易に着脱することができ、調理後、底板１３が汚れてしまっても、取り外して水洗いやたわしなどで洗うことができるので、衛生的に調理をすることができる。
また、底板１３が着脱自在のため、廃却するときに、分解が容易であり、リサイクル性も向上させることができる。
【００１２】
実施の形態２．
図４はこの発明の実施の形態２を示す加熱調理器の底板の縦断面図である。
本実施の形態は実施の形態１の図３の底板１３の形状を変えたものであり、図４において、底板１３の外周縁にに沿って立設された縁枠部１３ａを設けた。
【００１３】
以上のように、底板１３の外周部に縁枠部１３ａを設けたので、底板１３上に載置された食品の汁等がこぼれても、汁等が底板１３の外周部より回転アンテナ１２側に流れ込むことを防ぐことができる。
【００１４】
実施の形態３．
図５はこの発明の実施の形態３を示す加熱調理器の底板の縦断面図である。
本実施の形態は実施の形態２の図４の底板１３の形状を変えたものであり、図５において、底板１３の縁枠１３ａに、さらに、縁枠１３ａの端部から外周方向に沿って延設されたつば部１３ｂを設けて、底板１３を調理角皿と略同一形状にした。底板１３は取り外して図１の棚８ａ、８ｂに載置し、角皿として使用することができる。
【００１５】
以上のように、底板１３の縁枠１３ａに、さらに、縁枠１３ａの端部から外周方向に沿って延設されたつば部１３ｂを設けて、底板１３を調理角皿と略同一形状にしたので、より着脱が容易にすることができる。
また、底板１３が角皿として使用できるため、本来別に必要であった角皿が必要なくなるので、コストダウンも図れる。また、別の角皿があれば、底板１３と入れ替えて使用することができるので、使い勝手が向上する。
【００１６】
実施の形態４．
図６はこの発明の実施の形態４を示す加熱調理器の底板の縦断面図である。
本実施の形態は実施の形態１〜３を各々示す図３〜５の底板１３の下部に別の底板１５を着脱自在に設け二重構造としたものである。図６（ａ）、図６（ｂ）、図６（ｃ）は実施の形態１〜３を各々示す図３〜５に各々対応した構造を示す。図６（ａ）〜（ｃ）において第１の凹部６ｂの下に第２の凹部６ｃを設け、この凹部６ｃに別の底板１５が着脱自在に載置される。底板１５は底板１３より小さいものを使用する。
【００１７】
以上のように、着脱自在な底板１３の他に別の底板１５を設けて二重構造としたことにより、底板１３を取り外して洗っているときも、底板１５が設置してあるので、回転アンテナ１２に触れることがなくなり、安全性が向上する。
また、調理中にこぼれ出した汁等も底板１３の外周部より回転アンテナ１２側に流れ込みにくくすることができる。
さらに、仕切板１３を角皿と略同一形状（図６（ｃ））にしたので、底板１３を加熱室７の両側壁に設けられた角皿用の棚８に載置して、底板１３を角皿として使用することにより、底板１３と底板１５の両方に食品を載置すれば、マイクロ波は下側の回転アンテナ１２と給電口１１から加熱室７に供給されるので、２段でマイクロ波加熱を行なうことができる。
【００１８】
実施の形態５
図７はこの発明の実施の形態５を示す加熱調理器の底板の縦断面図である。本実施の形態は、実施の形態４において、底板１５をシリコン１６で本体枠６に接着させた構造である。図７（ａ）、図７（ｂ）、図７（ｃ）は実施の形態４の図図６（ａ）、図６（ｂ）、図６（ｃ）に各々対応したものを示す。
【００１９】
以上のように、底板１５がシリコン１６で接着されているので、底板１３を洗ったり、角皿と使用しているときでも、食品の汁等がこぼれても底板１５の外周部から回転アンテナ１２側に流れ込むことを確実に防ぐことができる。
さらに、仕切板１３を角皿と略同一形状（図７（ｃ））にしたので、底板１３を加熱室７の両側壁に設けられた角皿用の棚８に載置して、底板１３を角皿として使用することにより、底板１３と底板１５の両方に載置された食品を加熱することができる。
【００２０】
なお、上述の実施の形態１〜５では底板１３、１５は平面形状が角形形状の場合を示したが、丸形状でも同様な効果を得ることができる。
【００２１】
【発明の効果】
以上のように、この発明によれば、加熱される食品を収納する加熱室の底部に設けられ、前記食品が載置される仕切板と、この仕切板の下部に設けられ、マグネトロンから発生する高周波を前記加熱室に拡散させる回転アンテナを有する加熱調理器において、前記仕切板は、前記加熱室の底部に着脱自在に設けられたので、取り外しが容易で、丸洗いすることができ、衛生的に調理をすることができる。
【図面の簡単な説明】
【図１】本発明の実施の形態１を示す加熱調理器の斜視図である。
【図２】本発明の実施の形態１を示す加熱調理器の断面図である。
【図３】本発明の実施の形態１を示す加熱調理器の要部詳細図である。
【図４】本発明の実施の形態２を示す加熱調理器の要部詳細図である。
【図５】本発明の実施の形態３を示す加熱調理器の要部詳細図である。
【図６】本発明の実施の形態４を示す加熱調理器の要部詳細図である。
【図７】本発明の実施の形態５を示す加熱調理器の要部詳細図である。
【符号の説明】
１  本体、２  ドア、６  本体枠、７  加熱室、８  棚、９  マグネトロン、１０  導波管、１１  第一の給電口、１２  回転アンテナ、１３  底板、１５  底板、１６  シリコン。
【図１】
2004150668.tif 000003
【図２】
2004150668.tif 000004
【図３】
2004150668.tif 000005
【図４】
2004150668.tif 000006
【図５】
2004150668.tif 000007
【図６】
2004150668.tif 000008
【図７】
2004150668.tif 000009